(57)【特許請求の範囲】
【請求項１】
固形の化粧料芯を着脱自在に保持するカートリッジと、該カートリッジが装着される容器本体とを備え、
前記カートリッジは、略筒状のカートリッジ本体と、前部で前記化粧料芯を着脱自在に保持して前記カートリッジ本体内に配設されると共に、前記カートリッジ本体に対して回転するときはネジ運動により前後方向に移動可能なホルダーとから主に構成され、
前記容器本体は、前記カートリッジ本体を回転自在に保持する外筒と、ノック操作時に該外筒内を前後方向に移動するノック部材と、該ノック部材を後方に付勢するノックスプリングと、非ノック操作状態では回転が拘束される一方、ノック操作時には前記ノック部材と共に前方に移動しつつ、該ノック部材の駆動力を回転力に変換するカム機構により所定角度で回転する回転子と、該回転子を後方に付勢する駆動スプリングと、前記回転子の回転力を前記ホルダーに伝達するために前記外筒内に配設されて前記回転子の回転時には前記ホルダーを回転させる回転棒とを備え、
前記ホルダーおよび前記回転子のうち少なくともホルダーは、前記回転棒に対して前後方向に移動可能に構成された固形化粧料容器において、
前記ホルダーは、ノック操作時には前記回転棒を介して前記回転子からの回転力を受けて所定角度回転して前記ネジ運動により前方に移動する一方、非ノック操作状態では前記カートリッジ本体が前記外筒に対して回転されることで前後方向に移動可能に構成され、
前記回転棒は、前後方向への移動が拘束されていることを特徴とする固形化粧容器。
【請求項２】
前記外筒は、その内周面に内鍔が突設されるとともに、該外筒内の前記内鍔の前側にストッパーが組み込まれ、
前記回転棒は、その前後方向略中央部に外鍔が設けられ、
前記外鍔は、前記内鍔の全面と前記ストッパーの後面との空間に配置されることを特徴とする請求項１に記載の固形化粧料容器。
【請求項３】
前記外筒は、その前側部分に別の内筒が嵌入され、
前記回転棒は、その前後方向略中央部に外鍔が設けられ、
前記回転棒とノック部材との間には、引張スプリングが設けられ、
前記回転棒の後方への移動が、前記内筒の底壁前面で規制されるとともに、前記回転棒の前方への移動が、前記引張スプリングにより規制されることを特徴とする請求項１に記載の固形化粧料容器。
【請求項４】
固形の化粧料芯を着脱自在に保持するカートリッジと、該カートリッジが装着される容器本体とを備え、
前記カートリッジは、略筒状のカートリッジ本体と、前部で前記化粧料芯を着脱自在に保持して前記カートリッジ本体内に配設されると共に、前記カートリッジ本体に対して回転するときはネジ運動により前後方向に移動可能なホルダーとから主に構成され、
前記容器本体は、前記カートリッジ本体を回転自在に保持する外筒と、ノック操作時に該外筒内を前後方向に移動するノック部材と、該ノック部材を後方に付勢するノックスプリングと、非ノック操作状態では回転が拘束される一方、ノック操作時には前記ノック部材と共に前方に移動しつつ、該ノック部材の駆動力を回転力に変換するカム機構により所定角度で回転する回転子と、該回転子を後方に付勢する駆動スプリングと、前記回転子の回転力を前記ホルダーに伝達するために前記外筒内に配設されて前記回転子の回転時には前記ホルダーを回転させる回転棒とを備え、
前記ホルダーおよび前記回転子のうち少なくともホルダーは、前記回転棒に対して前後方向に移動可能に構成された固形化粧料容器において、
前記ホルダーは、ノック操作時には前記回転棒を介して前記回転子からの回転力を受けて所定角度回転して前記ネジ運動により前方に移動する一方、非ノック操作状態では前記カートリッジ本体が前記外筒に対して回転されることで前後方向に移動可能に構成され、
前記回転棒は、該回転棒の前方に嵌入されて前後方向に摺動自在で且つ回転方向には係合する押し棒を備え、
前記押し棒は、前記ホルダーの後端部とかみ合うかみ合い部を有し、
前記押し棒を前方に付勢するスプリングを設けたことを特徴とする固形化粧料容器。
【発明の詳細な説明】
【０００１】
【産業上の利用分野】
本発明は、固形化粧料容器に関する。
【０００２】
【従来の技術】
従来、容器尾端をノックすることによるノック部材の前進運動をカム機構により回転子の回転運動に変換（以下、この種のノック機構をカム式ノック機構という）し、固形の化粧料芯を容器前端からネジ運動により前方に繰り出す固形化粧料容器が知られている。
【０００３】
例えば特開昭６３−３１６０９号公報には、容器尾端のノック部材を前方にノックするにより、化粧皿に保持された化粧料を繰り出す技術が開示されている。しかし、ノックによる化粧料の移動方向が前方のみであるため、使用時に必要以上に化粧料を繰り出してしまった場合、適当な出寸法に再度調整することはできない。また、保管時に化粧料が身管より出たままであるため、露出した化粧料を覆うキャップが必要であった。
【０００４】
一方、特公平２−３２８８３号、実開平１−７９４１０号および実開昭６３−１３９８１３号公報等においては、前記カム式ノック機構により化粧料芯の繰り出しが行えると共に、化粧料芯の後退（容器内への収容）も行えるようになっている。
【０００５】
前記特公平２−３２８８３号公報では、三ツ割コレットチャックによる化粧料芯の繰り出しと前記カム式ノック機構とにより、コレットチャックの機構全体を前進および後退させている。化粧料を使用しない場合は、カム式ノック機構の回動カム筒の突起部を固定カムの溝の後退する側に配置し、これにより芯筒の中に化粧料芯を収納できる。前記実開平１−７９４１０号公報においては、芯の繰り出しは前記ネジ運動で行い、カム式ノック機構を用いて化粧料芯の前進および後退（収納）を行えるようにしている。前記実開昭６３−１３９８１３号公報の繰出容器では、前記カム式ノック機構を利用し、棒状化粧料をノック操作により前進させ繰り出すことができる。
【０００６】
【発明が解決しようとする課題】
しかしながら、化粧料芯の前進・後退が操作できる前記従来の固形化粧料容器においては、ノック毎にノックストロークと同じ長さ芯も前方に前進するもののノックを止めると（ノック部材がスプリングにより元の位置に復帰すると）、同時に芯も後退してしまう。したがって、前記カム式ノック機構により設定された僅かなノック一回分の化粧料芯の前進量は得られるが、化粧料芯はノック毎に約ノックストローク分の前後運動を繰り返すことになる。この場合、化粧料芯の先端が容器内にあるときは良いが、化粧料芯が使用できる位置に近い口元近傍にあるときは、ノック毎に化粧料芯が口元から約ストローク分露出したり引っ込んだりする不自然な運動を繰り返すことになる。この動作は使用者にとって不自然に見え、化粧具としてはあまり好ましいものではない。また、化粧料芯の露出寸法が大きいため、化粧料芯が折れ易いという不具合も生ずる。
【０００７】
本発明は、前記従来の問題点に鑑みてなされたものであって、ノック操作時における化粧料芯の不自然で無意味な前後運動をなくして、スムーズに化粧料芯の必要な出寸法が得られ、しかも必要に応じて化粧料芯を容易にカートリッジ内に収容することができる固形化粧料容器を提供することを目的とする。
【０００８】
【課題を解決するための手段】
本発明者らは、鋭意研究した結果、カム式ノック機構とネジ運動とを組み合わせると同時に、ノック操作時に前方に働く駆動力を化粧料芯に対して回転力としてのみ伝達させることにより、またノック操作とは別に回転操作によるネジ運動でも化粧料芯の出し入れを行えるようにすることで、前記課題を解決するに至った。
【０００９】
すなわち、本発明は、固形の化粧料芯を着脱自在に保持するカートリッジと、該カートリッジが装着される容器本体とを備え、前記カートリッジは、略筒状のカートリッジ本体と、前部で前記化粧料芯を着脱自在に保持して前記カートリッジ本体内に配設されると共に、前記カートリッジ本体に対して回転するときはネジ運動により前後方向に移動可能なホルダーとから主に構成され、前記容器本体は、前記カートリッジ本体を回転自在に保持する外筒と、ノック操作時に該外筒内を前後方向に移動するノック部材と、該ノック部材を後方に付勢するノックスプリングと、非ノック時には回転が拘束される一方、ノック操作時には前記ノック部材と共に前方に移動しつつ、該ノック部材の駆動力を回転力に変換するカム機構により所定角度で回転する回転子と、該回転子を後方に付勢する駆動スプリングと、前記回転子の回転力を前記ホルダーに伝達するために前記外筒内に配設されると共に前記回転子の回転時には前記ホルダーを回転させる回転棒とを備え、前記ホルダーおよび前記回転子うち少なくともホルダーは、前記回転棒に対して前後方向に移動可能に構成された固形化粧料容器において、前記ホルダーは、ノック操作時には前記回転棒を介して前記回転子からの回転力を受けて所定角度回転して前記ネジ運動により前方に移動する一方、非ノック時には前記カートリッジ本体が前記外筒に対して回転されることで前後方向に移動可能に構成され、前記回転棒は、前後方向への移動が拘束されていることを特徴とする固形化粧容器である。
また、前記外筒の内周面に内鍔が突設されるとともに、該外筒内の前記内鍔の前側にストッパーが組み込まれ、前記回転棒の前後方向略中央部に外鍔が設けられ、前記外鍔を前記内鍔の全面と前記ストッパーの後面との空間に配置することが好ましい。
また、前記外筒の前側部分に別の内筒が嵌入され、前記回転棒の前後方向略中央部に外鍔が設けられ、前記回転棒とノック部材との間には、引張スプリングが設けられ、前記回転棒の後方への移動が、前記内筒の底壁前面で規制されるとともに、前記回転棒の前方への移動が、前記引張スプリングにより規制されるようにすることが好ましい。
また、本発明は、固形の化粧料芯を着脱自在に保持するカートリッジと、該カートリッジが装着される容器本体とを備え、前記カートリッジは、略筒状のカートリッジ本体と、前部で前記化粧料芯を着脱自在に保持して前記カートリッジ本体内に配設されると共に、前記カートリッジ本体に対して回転するときはネジ運動により前後方向に移動可能なホルダーとから主に構成され、前記容器本体は、前記カートリッジ本体を回転自在に保持する外筒と、ノック操作時に該外筒内を前後方向に移動するノック部材と、該ノック部材を後方に付勢するノックスプリングと、非ノック操作状態では回転が拘束される一方、ノック操作時には前記ノック部材と共に前方に移動しつつ、該ノック部材の駆動力を回転力に変換するカム機構により所定角度で回転する回転子と、該回転子を後方に付勢する駆動スプリングと、前記回転子の回転力を前記ホルダーに伝達するために前記外筒内に配設されて前記回転子の回転時には前記ホルダーを回転させる回転棒とを備え、前記ホルダーおよび前記回転子のうち少なくともホルダーは、前記回転棒に対して前後方向に移動可能に構成された固形化粧料容器において、前記ホルダーは、ノック操作時には前記回転棒を介して前記回転子からの回転力を受けて所定角度回転して前記ネジ運動により前方に移動する一方、非ノック操作状態では前記カートリッジ本体が前記外筒に対して回転されることで前後方向に移動可能に構成され、前記回転棒は、該回転棒の前方に嵌入されて前後方向に摺動自在で且つ回転方向には係合する押し棒を備え、前記押し棒は、前記ホルダーの後端部とかみ合うかみ合い部を有し、前記押し棒を前方に付勢するスプリングを設けたことを特徴とする固形化粧料容器である。
【００１０】
【作用】
使用者がノック操作を行うとノック部材が前方に移動する。前記回転子は、ノック部材と共に前方に移動しながら前記カム機構により回転する。回転子の回転力は回転棒を介してホルダーに伝達されるため、ホルダーも回転する。このとき少なくともホルダーは、前記回転棒に対して前後方向に移動可能であるため、回転棒の回転力は受けるが回転棒の前後方向の駆動力は受けない。ホルダーは、カートリッジ本体に対して回転することで前記ネジ運動により前方に移動し、これによりホルダーに保持された化粧料芯も前進する。ノック操作を解除すると、前記ノックスプリングおよび前記駆動スプリングそれぞれにより、ノック部材および回転子は後退し非ノック操作状態の位置に戻る。
【００１１】
したがって、ノック操作時において、化粧料芯は、回転子の回転角度に相当する前進量だけ前方に移動するため、ノック操作が何度行われても常に前進のみの運動を繰り返すようになる。このため、従来のようにノック操作毎に前進・後退をするような不自然で無意味な化粧料芯の動作がなくなり、スムーズに化粧料芯の必要な出寸法が得られるようになる。
【００１２】
また、非ノック操作状態においては、前記外筒に対して前記カートリッジ本体が回転操作されることで前後方向に移動する。すなわち、非ノック操作状態では回転子の回転運動が拘束されると共にホルダーおよび回転子が回転棒に対して回転方向には係合しているので、カートリッジ本体を外筒に対して所定の方向に回転させれば、前記ネジ運動によりホルダーおよび化粧料芯が前後いずれかの方向に移動するようになる。したがって、例えばノック操作で露出させた化粧料芯を、使用後はカートリッジ本体の回転操作で容易に後退させ収容することもできる。
【００１３】
【実施例】
以下、本発明の実施例を図面を参照して説明する。
まず第１実施例を説明する。第１実施例の固形化粧料容器８は、図１および図２に示すように、固形の化粧料芯２を着脱自在に保持するカートリッジ４と、カートリッジ４が装着される容器本体６とを備える。なお、化粧料芯２は、口紅、アイシャドウ、アイライナー、アイブロー（眉墨）等である。
【００１４】
カートリッジ４は、図２に示すように、略筒状のカートリッジ本体１０と、前部で化粧料芯２を着脱自在に保持してカートリッジ本体１０内に配設されると共に、カートリッジ本体１０に対して回転するときはネジ運動により前後いずれかの方向に移動可能なホルダー１２と、カートリッジ本体１０の後端に嵌入されたホルダー用抜け止め２６とから主に構成される。
【００１５】
カートリッジ本体１０の内壁には、螺旋状溝１０ａがカートリッジ中心軸周りに形成される。一方、ホルダー１２の前後方向略中央部には、この螺旋状溝１０ａに螺合する螺子突起１２ａが突設されており、ホルダー１２がカートリッジ本体１０に対して相対的に回転すると、螺子突起１２ａが螺旋状溝１０ａを移動し、これによりホルダー１２および化粧料芯２がカートリッジ本体１０内を前後いずれかの方向に移動する。また、ホルダー１２の後部には横断面多角形の中空部１２ｂが形成される。
【００１６】
容器本体６は、図２に示すように、カートリッジ本体１０を回転自在に保持する外筒１４と、外筒１４内に嵌入された内筒２８と、ノック操作時に外筒１４内を前後方向に移動するノック棒（ノック部材に相当）１６と、ノック棒１６の後端に嵌合して使用者にノック操作されるノックキャップ３０と、ノックキャップ３０およびノック棒１６を後方に付勢するノックスプリング１８と、非ノック操作状態では回転が拘束される一方、ノック操作時にはノック棒１６と共に前方に移動しつつ、ノック棒１６の駆動力を回転力に変換するカム機構により所定角度で回転する回転子２０と、回転子２０を後方に付勢する駆動スプリング２２と、前後方向の移動が拘束された状態で外筒１４内に配設され、かつ、回転子２０の回転力をホルダー１２に伝達するための回転棒２４とを備える。
【００１７】
外筒１４は、図２に示すように、前端口元部の内周面に周方向に沿って形成された突起１４ａを備えており、この突起１４ａは、前記カートリッジ本体１０の後端部外周の環状の溝１０ｂに嵌まる。外筒１４の口元部の内周面とカートリッジ本体１０の外周面とは緩く嵌合し、これによりカートリッジ本体１０は、突起１４ａにより外筒１４に対して前後には移動できないが周方向には回転自在となる。
【００１８】
内筒２８の内周面の後部には、図３（ａ）〜同（ｃ）に示すように、前後方向に延びるカム部２８ａが例えば周方向６箇所に突設される。隣り合うカム部２８ａ，２８ａ間には、溝２８ｂが形成されている。そして、隣接する溝２８ｂおよびカム部２８ａの前端面には、斜面カム２８ｃが形成される。
【００１９】
ノック棒１６の前端部の外周には、図４（ａ）〜同（ｃ）に示すように、前記溝２８ｂに嵌まる突起１６ａが例えば周方向６箇所に突設される。これらの突起１６ａは、非ノック操作時およびノック操作過程いずれにおいても、前記溝２８ｂ内にある。各突起１６ａの前端面には、前記斜面カム２８ｃと同一方向に傾斜した斜面カム１６ｂが形成される。
【００２０】
回転子２０は、図５（ａ）〜同（ｃ）に示すように略円筒形を呈しており、その外周面には、前後方向に延びるリブ２０ａが例えば周方向３箇所に突設される。各リブ２０ａの後端には、前記斜面カム２８ｃおよび前記斜面カム１６ｂに対応した形状を呈すると共に非ノック操作状態で前記斜面カム２８ｃに当接する斜面カム２０ｂが設けられる。
【００２１】
回転棒２４は、図２に示すように、その前後方向略中央部に外鍔２４ａを有する。外鍔２４ａは、外筒１４の内周面に突設された内鍔１４ｂの前面と、外筒１４内に組み込まれたストッパー３２の後面との間の空間に外鍔２４ａが配置されることで、前後方向の移動が拘束されている。また、回転棒２４は、その後部において前記回転子２０を前後方向に摺動自在に支持すると共に、回転方向には回転子２０と係合する。例えば回転棒２４の少なくとも回転子２０の移動範囲に相当する部分は、横断面多角形に形成されると共に回転子２０の貫通孔２０ｃも多角形の内形とされ、これにより回転子２０が回転棒２４に対して前後方向には移動自在となるが、回転方向は回転棒２４に拘束される。また、回転棒２４の前部は、前記ホルダー１２の中空部１２ｂの形状に対応した横断面多角形に形成され、回転子２０との関係と同様にホルダー１２を前後方向に摺動自在に支持すると共に回転方向にはホルダー１２と係合する。
【００２２】
そして、ホルダー１２は、ノック操作時には回転棒２４を介して回転子２０からの回転力を受けて所定角度回転して前記ネジ運動により前方に移動する一方、非ノック操作状態ではカートリッジ本体１０が外筒１４に対して回転されることで前後方向に移動可能である。
【００２３】
第１実施例の作用を詳細に説明する。まずノック操作による化粧料芯２の繰り出し動作を説明する。使用者が容器８を持って尾端のノックキャップ３０を前方にノックすると、ノック棒１６も前方に移動する。ノック棒１６は、図６（ａ）に示すように、その突起１６ａが内筒２８の溝２８ｂ内に案内されながら前進すると同時に、その斜面カム１６ｂで回転子２０の斜面カム２０ｂを押す。このとき回転子２０は、斜面カム１６ｂから回転力を受けるが、リブ２０ａの後端部がカム部２８ａの側面および斜面カム２８ｃに拘束されるため、回転せずに回転棒２４上を摺動して前進する。
【００２４】
回転子２０の斜面カム２０ｂがカム部２８ａの斜面カム２８ｃに一致すると、図６（ｂ）に示すように、回転子２０は、そのリブ２０ａがカム部２８ａの側面から解放されるため回転自由となり、ノック棒１６の斜面カム１６ｂからの面圧を受けて斜面カム１６ｂ一段分だけ回転する。そして、使用者がノックキャップ３０を解放すると、ノック棒１６および回転子２０それぞれは、ノックスプリング１８および駆動スプリング２２によって後方に移動し、非ノック操作状態の位置に復帰する。この際図６（ｃ）に示すように、回転子２０は、そのリブ２０ａの側面が次のカム部２８ａの側面に当接するまで、さらに回転しながら回転棒２４上を後方に摺動して次のノック操作に待機する状態となる。
【００２５】
このように回転子２０は前記カム式ノック機構により、一回のノック操作で所定角度だけ回転する。この回転子２０の回転力は、回転棒２４を介してホルダー１２に伝達される。これによりホルダー１２が回転すると、ホルダー１２の突起１２ａが螺旋状溝１０ａ内を移動していくため、ホルダー１２および化粧料芯２は、ネジ運動により回転棒２４上を摺動しながら所定量だけ前進することになる。図７は、化粧料芯２が数回のノック操作により前進してカートリッジ本体１０の前端開口から突出した状態を示している。
【００２６】
次に、ノック操作を行わないで化粧料芯２を出し入れする動作を説明する。非ノック操作状態では回転子２０の回転運動が拘束されていると共にホルダー１２および回転子２０が回転棒２４に対して回転方向には係合しているので、カートリッジ本体１０を外筒１４に対して所定の方向に回転させれば、前記ネジ運動の作用によりホルダー１２および化粧料芯２を前後いずれかの方向に移動させることができる。
【００２７】
このように作用する第１実施例によれば、ノック操作時において、ノック操作が何度行われても常に化粧料芯２は前進のみの運動を繰り返すため、従来のようにノック操作毎に前進・後退をするような不自然で無意味な化粧料芯の動作がなくなり、スムーズに化粧料芯の必要な出寸法が得られるようになる。また、カートリッジ本体１０を回転操作することにより、ノック操作で露出させた化粧料芯２（図７参照）を使用後は容易にカートリッジ本体１０内に収容することもできる。
【００２８】
なお、図８および図９に示すように、カートリッジ４において、ホルダー用抜け止め２６の前端面で前後方向の移動が規制されたガイド筒３４をホルダー１２の外周に嵌着してもよい。ガイド筒３４には、長手方向に沿ってスリット３４ａが設けれており、ホルダー１２の螺子突起１２ａは、このスリット３４ａから臨出した状態で螺旋状溝１０ａに嵌まっている。したがって、このガイド筒３４は、ネジ運動時あるいは化粧料芯２の収容時に、化粧料芯２を螺旋状溝１０ａから保護すると共にネジ運動時にはホルダー１２の前後運動を円滑にガイドする。
【００２９】
次に第２実施例について説明する。この第２実施例の固形化粧料容器８Ａは、図１０および図１１に示すように、前記第１実施例の基本構成において、前記内筒２８およびストッパー３２を削除し、前記カム部２８ａ、溝２８ｂおよび斜面カム２８ｃを外筒１４の内周面に形成したものである。これに伴い、外筒１４の前側部分に別の内筒３６が嵌入されており、この内筒３６内にカートリッジ本体１０の後部が装着される。駆動スプリング２２の前端は、内筒３６の後端面で支持される。回転棒２４は、その後方への移動が内筒３６の底壁前面で規制されると共に、その前方への移動は、ノックキャップ３０と回転棒２４とに間に設けられた引張スプリング３８により規制される。なお、第２実施例におけるカム式ノック機構は、前記第１実施例と略同様に機能するものであるためその説明を省略する。
【００３０】
また、前記ホルダー１２の代わりにカートリッジ本体１０内には、化粧料芯２を保持するためのホルダー４０、および、このホルダー４０の外周に嵌着される回転ホルダー４２が配設される。回転ホルダー４２の後端部には、回転棒２４の先端形状（例えば横断面十字状）に対応した内形を有する接続部が形成される。回転ホルダー４２には、前記ガイド筒３４の場合と同様のスリットが前後方向に沿って形成される。すなわち、この回転ホルダー４２は、前記ガイド筒３４の機能を有すると共に、回転棒２４からの回転力をホルダー４０に伝達する役割も担う。また、第１実施例ではカートリッジ４の非装着状態において、回転棒２４が外筒１４の口元から突出していたが、この第２実施例では、図１１に示されるように、回転棒２４の先端が外筒１４内に収まるようにしてある。これにより、容器本体６を誤って落とした場合でも、回転棒２４の損傷を防止できる。
【００３１】
さらに第３実施例を説明する。この第３実施例の固形化粧料容器８Ｂに係るカートリッジ４は、図１２および図１３に示すように前記第２実施例の基本構成において、回転ホルダー４２の後端に略鋸刃状のかみ合い部４２ａを有するものである。また、容器本体６は、図１２および図１４に示すように、外筒１４の後端に嵌着される尾端軸４４と、回転棒２４に前方から嵌合され、かつ、前記かみ合い部４２ａに係合するかみ合い部４６ａを備えた押し棒４６とを有する。なお、第３実施例におけるカム式ノック機構は、前記第１および第２実施例と略同様に機能するものであるためその説明を省略する。また、回転ホルダー４２と押し棒４６との係合構造は、押し棒４６前端の回転を回転ホルダー４２に伝達できるものであれば足り、略鋸刃状のかみ合い部４２ａ，４６ａ以外の係合構造、例えば横断面多角形（異形）の棒部と同形状の横断面を持つ中空部とを嵌合させたもの（前記第１実施例における回転子２０ｃと回転棒２４との回転方向の係合構造あるいはホルダー１２と回転棒２４との回転方向の係合構造のようなもの）などでもよい。
【００３２】
回転子２０と回転棒２４とは圧入にて固定されており、ノック操作時には回転子２０が回転棒２４を回転させる。回転棒２４の前側部分２４ｂは異形断面形状に形成され、押し棒４６の後端部に形成された前記異形断面と同じ形状の穴４６ｂに挿入される。これにより、回転棒２４は、押し棒４６に対して前後方向には摺動自在であり回転方向には係合する。押し棒４６は、駆動スプリング２２により前方に付勢されると共に、かみ合い部４６ａが回転ホルダー４２のかみ合い部４２ａと係合し回転ホルダー４２に回転力を伝達可能となる。
【００３３】
この第３実施例によれば、ノックキャップ３０がノックされると前記第１および第２実施例と同様にカム機構により回転子２０が前方に移動しつつ回転棒２４を回転させるが、回転棒２４と回転子２０とは圧入固定されているため、この第３実施例では、回転棒２４は回転しながら回転子２０と共に前方に移動する。回転棒２４の回転力は、押し棒４６を介して回転ホルダー４２に伝達されるため、ネジ運動によりホルダー４０を前進させる。このとき、回転棒２４は、前方に移動するが押し棒４６に対して摺動可能であるため、この回転棒２４の前方に向く駆動力は、押し棒４６や回転ホルダー４２には伝わらない。したがって、この第３実施例よっても、常に化粧料芯２は前進のみの運動を繰り返すため、不自然で無意味な化粧料芯２の動作がなくなり、スムーズに化粧料芯２の必要な出寸法が得られる。
【００３４】
なお、以上の第１実施例〜第３実施例は本発明の好適な実施の態様であり、本発明の技術的範囲はこれらの実施例に何ら限定されるものではない。
【００３５】
【発明の効果】
以上の説明の通り本発明によれば、ノック操作時における化粧料芯の不自然で無意味な前後方向の動作をなくして、スムーズに化粧料芯の必要な出寸法を得ることができる。しかも化粧料芯を容易にカートリッジ内に後退させ収容することができる。
【図面の簡単な説明】
【図１】第１実施例の固形化粧料容器の縦断面図である。
【図２】第１実施例に係るカートリッジおよび容器本体の分解縦断面図である。
【図３】第１実施例に係る内筒を示す図であって、（ａ）は片側縦断面図、（ｂ）は（ａ）におけるＢ−Ｂ断面図、（ｃ）は（ｂ）におけるＡ−０−Ａ’展開図である。
【図４】第１実施例に係るノック棒を示す図であって、（ａ）は片側縦断面図、（ｂ）は（ａ）におけるＢ矢視図、（ｃ）は（ｂ）におけるＡ−０−Ａ’展開図である。
【図５】第１実施例に係る回転子を示す図であって、（ａ）は側面図、（ｂ）は（ａ）におけるＢ矢視図、（ｃ）は（ｂ）におけるＣ−Ｃ断面図である。
【図６】第１実施例に係るカム機構の動作説明図であって、（ａ）はノック開始時を示す図、（ｂ）はノックフルストローク時を示す図、（ｃ）はノック解放時を示す図である。
【図７】第１実施例において化粧料芯を繰り出して露出させた状態を示す容器前部の縦断面図である。
【図８】第１実施例の変形例に係るカートリッジの縦断面図である。
【図９】第１実施例の変形例に係るカートリッジの分解斜視図である。
【図１０】第２実施例の固形化粧料容器の縦断面図である。
【図１１】第２実施例に係るカートリッジおよび容器本体の分解縦断面図である。
【図１２】第３実施例の固形化粧料容器の縦断面図である。
【図１３】第３実施例に係るカートリッジの縦断面図である。
【図１４】第３実施例に係る容器本体の分解縦断面図である。
【符号の説明】
２    化粧料芯
４    カートリッジ
６    容器本体
８    固形化粧料容器
１０  カートリッジ本体
１２  ホルダー
１４  外筒
１６  ノック棒（ノック部材に相当）
１８  ノックスプリング
２０  回転子
２２  駆動スプリング
２４  回転棒
【図１】
0003770636.tif 000002
【図２】
0003770636.tif 000003
【図３】
0003770636.tif 000004
【図４】
0003770636.tif 000005
【図５】
0003770636.tif 000006
【図６】
0003770636.tif 000007
【図７】
0003770636.tif 000008
【図８】
0003770636.tif 000009
【図９】
0003770636.tif 000010
【図１０】
0003770636.tif 000011
【図１１】
0003770636.tif 000012
【図１２】
0003770636.tif 000013
【図１３】
0003770636.tif 000014
【図１４】
0003770636.tif 000015